(57)【要約】  本発明は、少なくとも１つのコンタクト室が設けられている差し込みコネクタに関する。コンタクト室の内側には、相補的な差し込みコネクタと電気的な差し込み接続部を形成するためのソケットコンタクトが設けられている。本発明によれば、ソケットコンタクト（１）と本発明によるロックエレメント（２）とを有した差し込みコネクタが設けられており、本発明によるロックエレメント（２）は、コンタクト室（３）内に予め位置決めされていて、コンタクト室（３）へのソケットコンタクト（１）の導入によりソケットコンタクト（１）と一次係止を形成する。二次ロックエレメント（１３）によって、ロックエレメント（２）はソケットコンタクト（１）と共にコンタクト室（３）内に位置固定される。
2009508310.tif 000002
【特許請求の範囲】
【請求項１】
相補的な差し込みコネクタと共に電気的な差し込み接続部を形成するための差し込みコネクタであって、主として、
単数又は複数のコンタクト室から成っており、該コンタクト室にはソケットコンタクトが配置されていて、ソケットコンタクトは、
導電体を収容するための接続部分と、
ソケットコンタクトのコンタクト領域における、相補的な差し込みコネクタを取り囲む差し込みコネクタのコンタクトのためのコンタクト部分であって、実質的に、導入可能な相補的な差し込みコネクタと協働するコンタクトシステムを有しているコンタクト部分と、
少なくともコンタクトシステムを管状またはボックス状に取り囲む機能エレメントとから成っている形式のものにおいて、
ロックエレメント（２）が別個の構成部分として設けられており、該ロックエレメント（２）は、差し込みコネクタのコンタクト室（３）内に導入可能であって、ロックエレメント（２）は、少なくとも１つのガイドエレメント（２０）と、開口（２２）を備えた接続手段（２１）と、ばねアーム（２３）とを有しており、ばねアームの自由端部には、ロック突起（１１）が配置されており、
ソケットコンタクト（１）の機能エレメント（１０）が少なくとも１つのロック窓（１２）を有しており、該ロック窓が、差し込みコネクタのコンタクト室（３）内に導入されるロックエレメント（２）と協働し、ロックエレメント（２）は予め組み付けられた状態でコンタクト室（３）内に位置決めされていて、ロックエレメント（２）に配置されたロック突起（１１）は、ソケットコンタクト（１）の導入によりロックエレメント（２）が最終位置まで連行され、そこでロック突起（１１）が機能エレメント（１０）のロック窓（１２）に係止されるように配置されていることを特徴とする、電気的な差し込み接続部を形成するための差し込みコネクタ。
【請求項２】
電気的な差し込み接続部を形成するためのソケットコンタクトであって、主として、
導電体を収容するための接続部分と、
ソケットコンタクトのコンタクト領域における、導入可能な相補的な差し込みコネクタのコンタクトのためのコンタクト部分であって、実質的に、導入可能な相補的な差し込みコネクタと協働するコンタクトシステムを有しているコンタクト部分と、
少なくともコンタクトシステムを管状またはボックス状に取り囲む機能エレメントとから成っている形式のものにおいて、
ソケットコンタクト（１）の機能エレメント（１０）が少なくとも１つのロック窓（１２）を有しており、該ロック窓（１２）は、差し込みコネクタのコンタクト室（３）内に導入されるロックエレメント（２）と協働しており、ロックエレメント（２）は予め組み付けられた状態でコンタクト室（３）の内側で位置決め可能であって、ロックエレメント（２）に配置されたロック突起（１１）は、ソケットコンタクト（１）の導入によりロックエレメント（２）が終端位置にまで連行され、ここでロック突起（１１）が機能エレメント（１０）のロック窓（１２）に係止されるように配置されていることを特徴とする、電気的な差し込み接続部を形成するためのソケットコンタクト。
【請求項３】
電気的な差し込み接続部を形成するためのロックエレメントであって、該ロックエレメントがソケットコンタクトと、差し込みコネクタのコンタクト室内で協働し、ソケットコンタクトが主として、
導電体を収容するための接続部分と、
ソケットコンタクトのコンタクト領域における、導入可能な相補的な差し込みコネクタのコンタクトのためのコンタクト部分であって、実質的に、導入可能な相補的な差し込みコネクタと協働するコンタクトシステムを有しているコンタクト部分と、
少なくともコンタクトシステムを管状またはボックス状に取り囲む機能エレメントとから成っている形式のものにおいて、
ロックエレメント（２）が結合手段（２１）を有しており、結合手段が開口部（２２）を有していて、該開口部（２２）によって差し込みコンタクトが導入可能であって、結合手段（２１）の少なくとも一方の側に向かってガイドエレメント（２０）が設けられており、該ガイドエレメントは、コンタクト室（３）に設けられた付加的なガイド室（１６）と協働していて、結合手段（２１）からばねアーム（２３）が延びており、ばねアームの自由端部にロック突起（１１）が配置されており、ロック突起（１１）が、ソケットコンタクト（１）の機能エレメント（１０）に設けられたロック窓（１２）と協働することを特徴とする、電気的な差し込み接続部を形成するためのロックエレメント。
【請求項４】
ロックエレメント（２）が曲げ加工部品である、請求項３記載のロックエレメント。
【請求項５】
ソケットコンタクト（１）をコンタクト室（３）から取り出すために取り外し工具（３３）が設けられており、該取り外し工具がランス状に形成されており、コンタクト室（３）の開口（１８）内に導入可能である、請求項１記載の差し込みコネクタ。
【請求項６】
ロックエレメント（２）に二次ロック領域が設けられており、該領域と、少なくとも１つの二次ロックエレメント（１３）とが協働して、ロックエレメント（２）に配置されたガイドエレメント（２０）が二次ロックエレメント（１３）によって抑えられるようになっている、請求項１記載の差し込みコネクタ。
【発明の詳細な説明】
【技術分野】
【０００１】
本発明は、相補的な差し込みコネクタと共に電気的な差し込み接続部を形成するための差し込みコネクタであって、主として、
単数又は複数のコンタクト室から成っており、該コンタクト室にはソケットコンタクトが配置されていて、ソケットコンタクトは、
導電体を収容するための接続部分と、
ソケットコンタクトのコンタクト領域における、相補的な差し込みコネクタを取り囲む差し込みコネクタのコンタクトのためのコンタクト部分であって、実質的に、導入可能な相補的な差し込みコネクタと協働するコンタクトシステムを有しているコンタクト部分と、
少なくともコンタクトシステムを管状またはボックス状に取り囲む機能エレメントとから成っている形式のものに関する。
【０００２】
さらに本発明は、差し込みコネクタのためのソケットコンタクト、並びに電気的な差し込み接続部を形成するための本発明によるソケットコンタクトと協働するロックエレメントに関する。
【０００３】
背景技術
ワイヤーハーネスを組み付ける際に昨今では、差し込みコネクタにおける金属的なソケットコンタクトが使用される。差し込みコネクタは、ソケットコンタクトを収容するコンタクト室を有している。ソケットコンタクトは通常、コンタクト室の内側で係止される。導入されるソケットコンタクトとソケットコンタクトに接続される導電体とが付加的な構造エレメントによって最終的に固定される前に、ソケットコンタクトが早期に気づかないうちにコンタクト室から外れてしまってはならない。従ってソケットコンタクトと、差し込みコネクタのコンタクト室の内側輪郭とには、摩擦接続もしくは形状接続を行わせるエレメントを形成しなければならない。このような摩擦接続もしくは形状接続は一次係止と言う。
【０００４】
例えばドイツ連邦共和国特許出願公開第１０２４３２５７号明細書により、差し込みコネクタのコンタクト室の内側に配置されているソケットコンタクトが公知である。この差し込みコネクタは、コンタクト室内にソケットコンタクトを固定するためにロックエレメントを有していて、このロックエレメントは、ソケットコンタクトの長手方向の延びに対して横方向に脚を有しており、この脚はコンタクト室内に配置されたソケットコンタクトを位置固定する。
【０００５】
ドイツ連邦共和国特許出願公開第１９７３０９７９号明細書によっても、差し込みケーシングを備えた電気的な差し込みコネクタが公知であり、このコネクタは、コンタクト室内に導入されたソケットコンタクトをコンタクト室内に位置固定する手段を有している。
【０００６】
この先行技術により公知の装置には特別に形成されたコンタクト室が設けられている。これらのコンタクト室は、ソケットコンタクトを固定する付加的なロックエレメントを有している。このためにコンタクト室もしくは差し込みコネクタを特別に形成する必要がある。
【０００７】
ソケットコンタクトを固定するために先行技術により主として２つのロックシステムが公知である。
【０００８】
いわゆるランス（槍状）コンタクトは、既にコンタクト室に、コンタクトの一部が配置されていて、差し込みコネクタを装着するためには、ランス状のコンタクトを、既に予め構成されたコンタクト室に通せば良いという特性を有している。通常、突出する鋭い角状のランスは、取り扱いの際及び装着の際に、他のコンタクトや、コンタクト室をシールするシールエレメントを損傷し易い。このシールエレメントにはランスコンタクトが、当接する導電体と共に貫通案内される。
【０００９】
しかしながら製造技術的な利点に基づき今日では圧倒的に、いわゆるクリーン・ボディ・コンタクト（Clean-Body-Kontakt）が使用される。このようなコンタクトの構成は、対応コンタクトを収容するためのコンタクト領域を有しており、このコンタクト領域は例えばコンタクトプレートを有している。これらのコンタクトプレートは、有利にはナイフ状に又はピン状に形成された対応コンタクトにコンタクトされた状態で端子状に係合する。例えば、コンタクトプレートを保護し有利にはボックス状に取り囲むスーパースプリング（Ueberfeder）の構成の機能エレメントは、とりわけ、差し込みコネクタのコンタクト室に導入する際に、コンタクトプレートを容易に損傷から保護する。
【００１０】
いわゆるクリーン・ボディ・コンタクトは、差し込みコネクタのコンタクト室の内側に配置されたばねエレメントがクリーン・ボディ・コンタクトの切欠内に入り込むように一次的に係止される。クリーン・ボディ・コンタクトのロックエレメントは確かに、クリーン・ボディ・コンタクトがコンタクト室内に導入される間に、個々のコンタクト室をシールするために設けられたシールエレメントの損傷を回避するが、通常、手間のかかる製造工具を要する。さらに、ランスコンタクトのために規定された一次保持力は、クリーン・ボディ・コンタクトと比較して極めて大きい。
【００１１】
発明の課題
本発明の課題は、クリーン・ボディ・コンタクトの構成において、差し込みコネクタの内側でコンタクト室内に配置されているソケットコンタクトの一次係止のための技術的な手段を提供することであり、このような手段によりソケットコンタクトは確実に固定され、コンタクト室の簡単な製造を可能にすることができる。
【００１２】
課題を解決するための手段
この課題を解決するための核となる思想は、差し込みコネクタのコンタクト室に堅固に結合されたロックエレメントの代わりに、有利にはばね鋼から成り、分離された別個の構成部分として形成されたロックエレメントを設けることである。このようなロックエレメントは、ソケットコンタクトを備えたコンタクト室を構成する前に、かつ、集合シールマット及びその他のプレートをコンタクト室に配置する前に既にコンタクト室内に導入され、ここで前組み付け位置に位置決めされる。この位置で、予め位置決めされたロックエレメントは、相応のソケットコンタクトがコンタクト室内に導入されるまでとどまる。ソケットコンタクトがコンタクト室の内側で規定された位置に達すると、ロックエレメントがソケットコンタクトによって連行され、ロックエレメントがソケットコンタクトに一次係止される位置にもたらされる。二次ロック装置の導入により、ソケットコンタクトとロックエレメントとがコンタクト室内で確実に位置固定される。
【００１３】
従って、上記課題の解決手段として、請求項１又は２又は３の特徴部に記載されたものが提案される。
【００１４】
発明の効果
本発明の主要な利点は、ロックエレメントが別個の構成部分として形成されていることである。これにより、差し込みコネクタのためのコンタクト室を単純な構成で形成することができる。
【００１５】
通常、差し込みコネクタのコンタクト室はコンタクト支持体に配置されており、単数又は複数のコンタクト室は集合シールマット及び押圧プレートによってシールされている。コンタクト支持体をコンタクト支持体下方部分及びコンタクト支持体上方部分の２つの部分から形成する必要は、このような本発明の有利な構成ではもはやない。しかしながら、提案された技術的な手段を、１つのまたは２つの又はそれ以上の部分から成るコンタクト支持体の構成において使用することもできる。
【００１６】
差し込みコネクタのコンタクト室への装着のために以下のような有利な方法がある。
【００１７】
ロックエレメントは有利には曲げ加工部品として形成されていて、これは前もって例えばレーザー切断法又は従来の打ち抜き法によって形成されていて、有利にはばね鋼から成っている。ロックエレメントは結合手段を有しており、この結合手段には開口が設けられており、この開口により組み付け状態でコンタクト室の内側に、相補的な差し込みコネクタもしくはこの差し込みコネクタのナイフ状又はピン状の差し込みコンタクトを通すことができる。有利には、結合手段の互いに向かい合った２つの面にガイドエレメントが設けられている。このガイドエレメントは、ロックエレメントがコンタクト室の内側で回転しないように案内されるように働く。この結合手段からばねアームが延びていて、このばねアームは、結合手段の投影面を越えて突出していて、所定の間隔をおいている。ばねアームの自由端部にはロック突起が設けられている。ロックエレメントの構成を任意に設計することが可能であり、これにより差し込みコネクタの種々様々に形成されたコンタクト室においてロックエレメントを使用することができる。
【００１８】
既に完成されたロックエレメントは、第１の組み付けステップで、コンタクト室の内側の前組み付け位置にもたらされ、例えば導入補助手段により位置決めされる。コンタクト室の内側に単数又は複数の突起が形成されていることにより、ロックエレメントのばねアームはこの突起の上に載置され、これによりロックエレメントのコンタクト室へのさらなる導入はロックエレメントのばね力のみに抗して行うことができる。
【００１９】
自動的な装着を可能にするために有利には、二次ロックのための差し込みコネクタの切欠内にコーム状のエレメントが導入され、このエレメントは、導入補助手段による装着の際に、ロックエレメントをこのコーム状のエレメントの上に載置するように働く。
【００２０】
ロックエレメントがコンタクト室の内側に導入され、相応の位置に達すると、コンタクト室は１つのシール部材と、コンタクト室が複数ある場合には１つの集合マットシール部材と、押圧プレートとによって閉じられる。押圧プレートと集合マットシール部材とは相応の開口を有しており、この開口は、ソケットコンタクトとこれに固定された導電体とがさらに導入可能であるように寸法設定されている。しかしながらこの開口はコンタクト室の直径よりは小さい。
【００２１】
ソケットコンタクト自体は、先行技術により公知の構成の他に、いわゆる機能エレメントを有している。この機能エレメントはソケットコンタクトの相応のコンタクトシステムを取り囲む。機能エレメントは有利にはボックス状に形成されている。これに対して選択的に、機能エレメントは、任意の別の横断面、例えば円形の横断面を有していても良い。
【００２２】
さらにソケットコンタクトは、機能エレメントの周面上に少なくとも１つのロック窓を有している。このロック窓は、ロック窓が、ロックエレメントのロック突起と協働することができるように寸法設定されている。
【００２３】
コンタクト室への導入の際にソケットコンタクトを規定されたように方向付けることにより、ロック窓はロック突起の方向に面し、これにより後に、ロックエレメントの終端位置で、ロック窓のロック突起が係合し、これによりソケットコンタクトとロックエレメントとの間に一次係止が得られる。
【００２４】
しかしながらその前に、導入されたソケットコンタクトが、予め位置決めされたロックエレメントを、その前組み付け位置から連行する。この場合、ソケットコンタクトは、ロックエレメントのばねアームの作用するばね力に抗して、コンタクト室内に押し込まれなければならない。この場合、ばねアームは相応の突起に沿って滑動する。コンタクト室がこの領域で比較的狭く形成されているので、ロック突起はソケットコンタクトのロック窓において押圧されここにとどまる。ロック窓からのロック突起の不都合な解除を防止するために二次ロックが行われ、二次ロックは、二次ロックエレメントが、係止突起が係止窓に係止する側で挿入されることにより行われる。
【００２５】
二次ロックにより、ソケットコンタクトはロックエレメントと共に、差し込み方向に反してコンタクト室から動くことはできなくなる。
【００２６】
所定のモジュール原理に基づき、即ち、任意に設計可能なロックエレメントを任意に設計可能なソケットコンタクトと組み合わせることにより、簡単な構成と、供給業者の多様性の良好な可能性が得られる。
【００２７】
ソケットコンタクト若しくは機能エレメント自体の上面は、このような構成により扁平、平面、平滑に形成することができ、これによりソケットコンタクトの装着の際、若しくはコンタクト室へのソケットコンタクトの導入の際にとりわけ集合シールマットを損傷することがない。
【００２８】
その他の損傷を防止するために、特に機能エレメントの導電体への移行領域に、コンタクトネックカラーが設けられている。このコンタクトネックカラーは、傾斜して配置された金属舌片から成っていて、ボックス状の機能エレメントの鋭い縁部を覆っている。これにより、ソケットコンタクトをコンタクト室から取り去る際に、同様にとりわけ、集合マットシール部材が損傷されるのを防止する。
【００２９】
本発明によるソケットコンタクトと本発明によるロックエレメントのこのような構成に基づき、ランス状コンタクトに匹敵する一次ロック力が得られる。何故ならばこれは、予め位置決めされたロックエレメントを介して、ランスエレメントと同じロック原理が利用されるからである。
【００３０】
ソケットコンタクトの本発明による二次ロックにより、ロック原理と相応の構成部分自体はこのためにその機能を変更させることなしに、ソケットコンタクトのサイズを任意に形成できるという本発明による有利な可能性が得られる。場合によっては、選択的に、長手方向又は横方向でロック可能な二次ロック部材を形成することも考えられる。
【００３１】
ソケットコンタクトとロックエレメント自体とは、その構成に基づき、有利には、場合によっては材料疲労または破壊につながる恐れがある材料脆弱化が生じないように形成することができる。何故ならば、一次ロック及び二次ロックを形成するためにさらなる切欠は必要ないからである。
【００３２】
コンタクトシステム若しくは振動防止システムの全ての多様性は本発明の構成に限って使用されるものではない。何故ならばこのような多様性は、ロック機構によって損なわれるものではないからである。
【００３３】
本発明のさらなる有利な構成は以下に、実施例の説明、図面、請求項に記載されている。
【００３４】
実施例の説明
図１には、本発明によるロックエレメント２を備えた本発明によるソケットコンタクト１が示されている。ソケットコンタクト１とロックエレメント２とは、差し込みコネクタ（図示せず）のコンタクト室３内に配置されている。図示のソケットコンタクト１は、ソケットコンタクト１内に導入可能な相補的な差し込みコネクタ若しくは差し込みコンタクトとの電気的な接続を形成するために働く。コンタクト室３はこのために開口部４を有している。この開口部４と反対の側で、コンタクト室３は有利にはシール部材５と押圧プレート６とによって液密に閉じられている。ここに図示したコンタクト室３は、差し込みコネクタ、例えばワイヤーハーネスコネクタの、互いに前後して及び／又は互いに隣接して配置された多数のコンタクト室の典型例である。
【００３５】
ソケットコンタクト１は接続部分７とコンタクト部分８とから成っており、接続部分７は、導電体９を受容するために設けられている。コンタクト部分８は、ソケットコンタクト１のコンタクト領域に導入可能な相補的な差し込みコネクタのコンタクトのために設けられており、コンタクト部分８は主として、導入可能な相補的な差し込みコネクタと協働するコンタクトシステムを有している。ここに図示した実施例では、コンタクトシステムは、一対のコンタクトプレートから成っており、このコンタクトプレートは、接続部分７からコンタクト部分８への移行部から、ソケットコンタクト１の自由端部にまで延びている。コンタクト部分８は機能エレメント１０によって取り囲まれており、この機能エレメント１０は少なくともコンタクトシステムを管状またはボックス状に取り囲んでいる。機能エレメント１０はいわゆるスーパースプリング（Ueberfeder)の機能を有している。
【００３６】
機能エレメント１０は少なくとも１つのロック窓１２を有しており、このロック窓１２は、ロック突起１１がロック窓１２内に係止するように、ロックエレメント２と協働する。従って一次係止を行うことができる。二次係止は、二次ロックエレメント１３がコンタクト室３の両側に被せ嵌められることにより行われる。これによりこの二次ロックエレメント１３が一方では差し込みコネクタの内側に導入されこれに係止され、他方では、二次ロックエレメント１３が、ロック突起１１に対して押し付けられるように配置され、これにより、一次係止が開くのをロック突起１１が防止している。
【００３７】
差し込みコネクタのコンタクト室３が、本発明によるソケットコンタクト１や本発明によるロックエレメント２なしで図２に示されている。このコンタクト室３は特別に形成されていて、種々様々な横断面を有していて、これらの横断面も図２に示されている。
【００３８】
コンタクト室３は、ソケットコンタクト１とロックエレメント２を収容するために働くコーム状の構成１４を有している。このコーム状の構成１４は２つの開口領域ＡとＥとを有しており、開口領域Ａは、ロックエレメント２を装着するために、開口領域Ｅはとりわけ差し込みコンタクトを導入するために働く。
【００３９】
開口領域Ａにおけるコンタクト室３の横断面（横断面Ａ参照）は、この開口領域Ａがソケットコンタクト１とロックエレメント２とを収容することができるように形成されている。ロックエレメント２は、係止されていない状態で、コーム状の構成１４の横断面以上に延びているので、コーム状の構成１４の両側に付加的に収容領域１５が設けられている。この収容領域１５は差し込み深さが増加するにつれ、その寸法が小さくなるので、このような減少に基づき、ソケットコンタクト１とロックエレメント２の係止が強制的に行われる。付加的なガイド室１６は、ロックエレメント２が、コンタクト室３のコーム状の構成１４の内側でガイドされるように働く。開口領域Ａの横断面と、横断面Ｂ−Ｂとは異なっていない。これに対し横断面Ｃ−Ｃは、収容領域１５の深さがより小さくなるように形成されている。これにより、コーム状の構成１４の内側では狭隘部が生じ、この狭隘部は、コーム状の構成１４内に突入する突起１７によって形成されている。規定された差し込み深さを越えると、収容領域１５の深さは再び拡大し、これにより横断面Ｄ−Ｄは横断面Ｂ−Ｂにほぼ相当する。図示の実施例では、収容領域１５は、横断面Ｄ−Ｄにおいては横断面Ｂ−Ｂよりも小さい。開口領域Ｅでは、収容領域１５が別の開口１８からアクセス可能である。コーム状の構成１４は開口１９によりアクセス可能であり、この開口１９は、相補的な差し込みコネクタ若しくはその差し込みコンタクトにより貫通されるように寸法設定されている。
【００４０】
図３には本発明によるロックエレメント２が示されている。ロックエレメント２は有利には１つの打ち抜き成形部分（図Ａ）から成っており、別の裁断法、例えばレーザー切断によって形成することもできる。材料は有利にはばね鋼であるので、特に一次ロック領域のばね作用が得られる。個々の曲げ工程により、とりわけガイドエレメント２０が形成される。これらのガイドエレメント２０は所定の形状にされ（図Ｂ、図Ｃ）、コンタクト室３の付加的なガイド室１６と協働する。ガイドエレメント２０はここに図示した実施例では、互いに向かい合って配置されていて、それぞれ少なくとも１つの、ロックエレメント２とは反対に面したガイド手段を有している。これらのガイドエレメント２０の間には、開口２２が設けられた結合手段２１が設けられている。開口２２は、コンタクト室３内に導入される相補的な差し込みコネクタ若しくは差し込みコンタクトを妨げられることなしに開口２２に導入することができるようにし、これによりコンタクト室３はソケットコンタクト１にコンタクトすることができる。
【００４１】
さらに、図Ａの出発状態から曲げ工程により、ロック突起１１が形成される。種々の曲げ工程（図Ｂ、図Ｃ）により、図Ｄに示したロック突起１１が形成される。このロック突起１１はばねアーム２３によって結合されている。図Ｄにより明らかであるように、ばねアーム２３は結合手段２１の投影面から間隔をおいている。この間隔は、コンタクト室３の一方の収容領域１５の深さにほぼ相応する（図Ａ）。ばねアーム２３は、ロック突起１１が矢印方向２４でばね力に抗して押し付けられるように形成されている。
【００４２】
図４には本発明によるソケットコンタクト１が示されている。図１につき既に説明したように、ソケットコンタクト１は接続部分７とコンタクト部分８とから成っている。コンタクト部分８は機能エレメント１０によって取り囲まれている。機能エレメント１０は有利には横断面で見てボックス状又は管状であって、外側の形状は平滑であるので、いわゆるクリーン・ボディ・コンタクト（Clean-Body-Kontakt）となっている。機能エレメント１０は図示した実施例では２つのロック窓１２を有している。
【００４３】
接続部分７とは反対側の面に開口２５が設けられている。この開口は、相補的な差し込みコネクタ若しくはその差し込みコンタクトを収容するために働く。コンタクト室３への導入を簡単にするために、開口２５の領域には導入舌片２６が設けられており、この導入舌片２６はソケットコンタクト１の中央軸線に向かって少なくとも部分的に延びている。開口２５とは反対側の側で、機能エレメント１０の領域に、コンタクトネックカラー２７が配置されている。このコンタクトネックカラー２７により機能エレメント１０から接続部分７への鋭角的な移行が回避されている。
【００４４】
図５には、図４に示したソケットコンタクト１の別の図が示されている。ロック窓１２の領域は部分的に断面されている。機能エレメント１０は、機能エレメント１０の壁における貫通開口によって形成されているロック窓１２を有している。
【００４５】
図６において、コンタクト室３へのロックエレメント２の装着過程を複数の図（図Ａ〜図Ｋ）で説明する。本発明の思想を簡単化して図示するために、複数のコンタクト室３が互いに隣接して配置されており、これにより隣接するコンタクト室３との相互作用も示されている。勿論、ここに図示した装着過程は、１つのコンタクト室３のために行うこともできる。
【００４６】
図Ａには、図２に示したようなコンタクト室３が示されている
次の作業ステップ（図Ｂ）では、まずコーム状の構造物２８が、二次ロックエレメントの収容のために設けられた開口内に差し込まれる。その直後に（図Ｃ）導入補助手段２９によってロックエレメント２がコンタクト室３内に矢印方向３０で移動させられる。この場合有利には、導入補助手段２９は吸盤によってロックエレメント２に固定される。
【００４７】
図Ｄ〜図Ｆには、導入補助手段２９がロックエレメント２と共にさらにコンタクト室３内へと案内される。この場合、ロックエレメント２のガイドエレメント２０は、コンタクト室３の付加的なガイド室１６内へと滑動する。導入補助手段２９によりロックエレメント２は、ガイドエレメント２０がコーム状の構造物２８上に載置されるまで案内される。この位置（図Ｆ）ではばねアーム２３のロック突起１１がコンタクト室３内の突起１７に当接する。
【００４８】
図Ｇ及びＨでは、導入補助手段２９が矢印方向３１で取り外されている。ロックエレメント２はコンタクト室３内にとどまっている。
【００４９】
予め形成されたコンタクト室３を提供するために、シール部材５と押圧プレート６とを有したコンタクト室３が形成される（図Ｉ及び図Ｋ）。図６、図７には既にロックエレメント２が設けられたコンタクト室３が示されている。
【００５０】
図７の図Ａでは、本発明によるロックエレメント２を有するように予め形成されたコンタクト室３が準備されている。図４に示したように予め形成されたソケットコンタクト１は矢印方向３２でコンタクト室３内に導入される。ソケットコンタクト１は図Ｂに示したように、押圧プレート６とシール部材５とを貫通する。外側の平滑な構造に基づき、押圧プレート６もシール部材５も損傷されない。ソケットコンタクト１はコンタクト室３内に、ソケットコンタクト１の自由端部が、ロックエレメント２の結合手段２１に当接するまで（図Ｅ）導入される（図Ｃ、図Ｄ）。
【００５１】
ソケットコンタクト１による結合手段２１へのコンタクトにより、ソケットコンタクト１を矢印方向３２でさらに導入することによりロックエレメント２が連行される（図Ｆ）。ロック突起１１を有したばねアーム２３は、コンタクト室３の内側に設けられた突起１７に沿って滑動し、この際に、ロック突起１１がソケットコンタクト１のロック窓１２内に押し込まれる。ロック突起１１のために設けられた収容領域１５はコンタクト室３の開口１９まで極めて小さく形成されているので、ロック突起１１とロック窓１２とによって形成された一次係止は変更されずに存続する（図Ｇ及び図Ｈ）。最後の作業ステップでは、ロックエレメント２はソケットコンタクト１と共にコンタクト室３の開口１９まで押し込まれる。この位置で初めて二次ロックエレメント１３が導入され（図Ｉ）、これによりソケットコンタクト１はロックエレメント２と共にコンタクト室３から取り外されないように固定される。
【００５２】
図８には、コンタクト室３内で係止されたソケットコンタクト１の取り出し若しくはロック解除が示されている。ソケットコンタクト１がロックエレメント２に係止されており、ロックエレメント２が二次ロックエレメント１３によってコンタクト室３内に保持されている図Ａから出発して、図８には、ソケットコンタクト１が最初はロックエレメント２と共に、最後にはロックエレメント２から解除されて矢印方向３４でコンタクト室３から取り出されることが示されている。
【００５３】
ランス状（槍状）に形成されている取り外し工具３３は、収容領域１５と結合されている開口１８を介して導入され（図Ｂ、図Ｃ、図Ｄ）、ロックエレメント２とソケットコンタクト１との結合体を、矢印方向３４でコンタクト室３から取り外す。この結合体をコンタクト室３から取り外すために、二次ロックエレメント１３を取り外す必要がある（図Ｄ及び図Ｅ）。
【００５４】
ソケットコンタクト１を（矢印方向３４で）コンタクト室３から取り外す間（図Ｆ及び図Ｇ）、ロックエレメント２のばねアーム２３はコンタクト室３の内側で突起１７に沿って、ばねアーム２３が弛緩し、ロック突起１１がロック窓１２から外に出て、収容領域１５内へと到るまで滑動する。ロックエレメント２がこの位置に達すると（図Ｈ）、ロックエレメント２とソケットコンタクト１との結合は解除され、この場合、ロックエレメント２は図Ｈに示した位置にとどまる。ソケットコンタクト１は大きな力をかけられずに破壊されることなくコンタクト室３から取り外される（図Ｉ及び図Ｋ）。ロックエレメント２はコンタクト室３内にとどまり、再び、ソケットコンタクト１を収容する準備がととのう。
【図面の簡単な説明】
【００５５】
【図１】差し込みコネクタの一部、特にコンタクト室を概略的に示した図であって、本発明によるソケットコンタクトがコンタクト室の内側で、本発明によるロックエレメントと共に終端位置で示されている。
【図２】図１の差し込みコネクタの本発明により形成されたコンタクト室の横断面を概略的に示した図であって、様々な断面図が一緒に示されている。
【図３】本発明による図１のロックエレメントの形成を概略的に示した図である。
【図４】機能エレメントを備えた本発明によるソケットコンタクトの側方図である。
【図５】図４のソケットコンタクトを部分的に断面して示した別の側方図である。
【図６】図３の本発明によるロックエレメントを図２のコンタクト室に装着する過程を図Ａ〜図Ｋで概略的に示した図である。
【図７】既にロックエレメントを有したコンタクト室（図６）に図４及び図５のソケットコンタクトを装着する過程を図Ａ〜図Ｉで概略的に示した図である。
【図８】コンタクト室からソケットコンタクトを取り外す過程を図Ａ〜図Ｋで概略的に示した図である。
【図１】
2009508310.tif 000003
【図２】
2009508310.tif 000004
【図３】
2009508310.tif 000005
【図４】
2009508310.tif 000006
【図５】
2009508310.tif 000007
【図６】
2009508310.tif 000008
【図７】
2009508310.tif 000009
【図８】
2009508310.tif 000010
【国際調査報告】
2009508310.tif 000011
2009508310.tif 000012
2009508310.tif 000013
2009508310.tif 000014